(57)【要約】  【課題】  施工が容易で工期を短縮でき、自転車などがその上を走行する際に滑りにくくした側溝用ブロック及びその施工方法を提供する。  【解決手段】  路面に降った雨水を集めて排水するために、歩道の車道側の側辺に沿って設置される側溝用ブロック１０であり、車道側に配置される前フレーム１１と、歩道側に配置される後フレーム１２と、前記前フレームの上辺に一端を連結され、前記後フレームの高さ方向中間の側面に他端を連結されると共に、前記前フレームから前記後フレームに向けて下降する傾斜面を形成する連結部１３とを備え、前記連結部は、上下方向に貫通する少なくとも１つの貫通孔１４と、少なくとも一方の端面に形成された切欠き部１５とを有し、前記連結部の下方には前記貫通孔が連通する空間１８が形成されている。【選択図】  図１
2005097909.tif 000002
【特許請求の範囲】
【請求項１】
路面に降った雨水を集めて排水するために、歩道の車道側の側辺に沿って設置される側溝用ブロックにおいて、車道側に配置される前フレームと、歩道側に配置される後フレームと、前記前フレームの上辺に一端を連結され、前記後フレームの高さ方向中間の側面に他端を連結されると共に、前記前フレームから前記後フレームに向けて下降する傾斜面を形成する連結部とを備え、前記連結部は、上下方向に貫通する少なくとも１つの貫通孔と、少なくとも一方の端面に形成された切欠き部とを有し、前記連結部の下方には前記貫通孔が連通する空間が形成されていることを特徴とする側溝用ブロック。
【請求項２】
前記後フレームの両端面には、上方から見て凸形の円弧状をなし、前記後フレームの長さが、前記前フレームの長さよりも、５〜２０ｍｍ長くなっている請求項１記載の側溝用ブロック。
【請求項３】
前記後フレームは、前記前フレーム及び前記連結部と一体に形成されたコンクリート部分と、このコンクリート部分に添設されて前記後フレームの一部をなす木材部分とを有し、前記コンクリート部分は、前記連結部の上面の最も低い位置から所定の高さまで形成されており、その上方に前記木材部分が突出している請求項１又は２記載の側溝用ブロック。
【請求項４】
請求項１〜３の側溝用ブロックを、前記前フレームを車道側に向け、前記後フレームを歩道側に向けて、歩道の車道側の側辺に沿って配列し、これらの側溝用ブロックの前記貫通孔及び切欠き部を通してコンクリートを打設することを特徴とする側溝用ブロックの施工方法。
【請求項５】
前記貫通孔及び切欠き部の開口部まで前記コンクリートを打設した後、該コンクリートが固化するまでの間に、前記貫通孔及び切欠き部の開口部から露出するコンクリート表面に凹凸を形成する請求項４記載の側溝用ブロックの施工方法。
【発明の詳細な説明】
【技術分野】
【０００１】
本発明は、路面に降った雨水を集めて排水するために、歩道の車道側の側辺に沿って設置される側溝用ブロック及びその施工方法に関する。
【背景技術】
【０００２】
従来の側溝用ブロックは、以下のような手順で施工される（図１３参照）。
【０００３】
まず、道路を敷設する場所の地盤となる土砂部に、溝を掘り、その溝の内側に砕石を敷き、転圧機などの押圧手段で押圧して砕石基礎９０を造成する。
【０００４】
次いで、木材又は金属からなる型枠等を、前記の砕石を押圧した砕石基礎９０上に設置し、この型枠内にコンクリートを打設する。そして、打設されたコンクリートが固化するまで２〜３日程度養生される。この打設されたコンクリート層をコンクリート基礎９１とする。
【０００５】
コンクリート基礎９１が固化したら、型枠を抜き出す。次いで、コンクリート基礎９１上に、側溝用ブロック９３と接着するための接着層である、敷モルタル９２を打設する。
【０００６】
最後に、敷モルタル９２の上部に、側溝用ブロック９３を押圧して敷設し、掘削土を埋め戻すことにより、作業は完了する。
【０００７】
一方、下記特許文献１には、道路の両側に断面Ｕ字状の排水路を形成するための側溝用ブロックにおいて、道路に沿って平行に配置される両側壁と、この両側壁の上辺を連結する上版とを有し、上版に開口部が形成され、両側壁の下端部内側に、断面逆Ｌ字状の切欠き部を形成した側溝用ブロックが開示されている。
【０００８】
この側溝用ブロックは、平坦に敷き詰めて固めた砕石上に配置し、上部開口からコンクリートを流し込むと、コンクリートが両側壁の下端部に溜まり、同時に切欠き部にも流れ込んで基礎コンクリート層となる。
【特許文献１】特開２００１−２２７０５０号公報
【発明の開示】
【発明が解決しようとする課題】
【０００９】
図１３に示した従来の側溝用ブロックの施工方法では、砕石基礎９０、コンクリート基礎９１、及び敷モルタル９２の、３つの層を造成しなければならず、工期、コストがかかるという問題点が存在していた。
【００１０】
また、上記側溝用ブロックの上面は、金型成形によって滑らかな面をなし、しかも斜面となっているため、雨水や砂が表面に付着すると滑り易くなり、自転車などでその上を走行する際に、滑って転倒したりする可能性があった。
【００１１】
一方、特許文献１記載のブロックは、いわゆるＵ字溝を形成するためのブロックであり、本発明の対象とする側溝用ブロックとは、その構造が基本的に相違している。
【００１２】
したがって、本発明の目的は、路面に降った雨水を集めて排水するために、歩道の車道側の側辺に沿って設置される側溝用ブロックであって、施工が容易で工期を短縮でき、自転車などがその上を走行する際に滑りにくくした側溝用ブロック及びその施工方法を提供することにある。
【課題を解決するための手段】
【００１３】
上記目的を達成するため、本発明の１つは、路面に降った雨水を集めて排水するために、歩道の車道側の側辺に沿って設置される側溝用ブロックにおいて、車道側に配置される前フレームと、歩道側に配置される後フレームと、前記前フレームの上辺に一端を連結され、前記後フレームの高さ方向中間の側面に他端を連結されると共に、前記前フレームから前記後フレームに向けて下降する傾斜面を形成する連結部とを備え、前記連結部は、上下方向に貫通する少なくとも１つの貫通孔と、少なくとも一方の端面に形成された切欠き部とを有し、前記連結部の下方には前記貫通孔が連通する空間が形成されていることを特徴とする側溝用ブロックを提供するものである。
【００１４】
本発明の側溝用ブロックは、次のような方法で施工することができる。すなわち、歩道の車道側の側辺に沿って溝を堀り、その溝の内側に砕石を敷き、転圧機などで押圧して、砕石基礎を造成した後、この砕石基礎上に側溝用ブロックを設置し、側溝用ブロックの貫通孔及び切欠き部からコンクリートを流し込み、連結部の下方に形成された空間部に、コンクリートを充填する。前記空間部は、砕石基礎に対して大きく開口し、側溝用ブロックに対しても大きな接触面積を確保できるように形成されているので、空間部に充填されたコンクリートは、砕石基礎及び側溝用ブロックに強固に固着される。また、隣接するブロック同士も切欠き部から充填されたコンクリートによって強固に連結される。その後、コンクリートが固化するまで養生し、側溝用ブロックの敷設工事は完了する。以上のように、従来の側溝用ブロックの施工作業における、コンクリート基礎、及び敷モルタルの打設が不要となるので、作業を容易にし、工期を短縮することができる。
【００１５】
また、連結部の貫通孔及び切欠き部の開口部には、流し込んだコンクリートが露出して、比較的粗い表面にすることができるので、自転車等の小型車両や、歩行者がブロックの上面を通行しても、上記貫通孔及び切欠き部の開口部から露出するコンクリートの粗い表面によって滑り防止がなされ、安全に通行することができる。
【００１６】
更に、本発明の側溝用ブロックは、連結部に貫通孔を有し、その端面には切欠き部を有している。このため、比較的軽量となり、保管や、運搬する際の利便性が向上し、道路に敷設する際の作業性も向上する。
【００１７】
本発明の側溝用ブロックにおいては、前記後フレームの両端面は、上方から見て凸形の円弧状をなし、前記後フレームの長さが、前記前フレームの長さよりも、５〜２０ｍｍ長くなっていることが好ましい。
【００１８】
これによれば、隣接するブロック同士で、後フレームの両端面を付き合わせた状態で、円弧状の端面同士が当接し、しかも前フレームの長さが後フレームの長さよりも短くなっているので、敷設する道路が曲がっているような場合でも、ブロック同士の角度を道路の曲がりに合わせて敷設することができる。なお、敷設する角度によっては、ブロック同士の前フレーム間に比較的大きな隙間が生じることがあるが、そのような場合には、適当な堰板を使用して生じた隙間を塞ぐことにより、コンクリートを打設することができる。
【００１９】
本発明の側溝用ブロックにおいては、前記後フレームは、前記前フレーム及び前記連結部と一体に形成されたコンクリート部分と、このコンクリート部分に添設されて前記後フレームの一部をなす木材部分とを有し、前記コンクリート部分は、前記連結部の上面の最も低い位置から所定の高さまで形成されており、その上方に前記木材部分が突出している形状とすることもできる。
【００２０】
これによれば、コンクリートだけでなく、木材を使用するため、自然な風合いを与えることができ、側溝用ブロックを敷設した箇所の景観が向上する。また、コンクリート部分は、前記連結部の上面の最も低い位置から所定の高さまで形成されており、その上方に前記木材部分が突出しているので、ブロックの連結部の上面の低い位置に雨水等が溜まっても、木材が常時濡れることがなく、木材の耐久性を向上させることができる。
【００２１】
また、本発明のもう1つは、上記側溝用ブロックを、前記前フレームを車道側に向け、前記後フレームを歩道側に向けて、歩道の車道側の側辺に沿って配列し、これらの側溝用ブロックの前記貫通孔及び切欠き部を通してコンクリートを打設することを特徴とする側溝用ブロックの施工方法を提供するものである。
【００２２】
上記施工方法によれば、前述したように、従来の側溝用ブロックの施工作業における、コンクリート基礎、及び敷モルタルの打設が不要となるので、作業を容易にし、工期を短縮することができる。
【００２３】
また、連結部の貫通孔及び切欠き部の開口部には、流し込んだコンクリートが露出して、比較的粗い表面になるので、自転車等の小型車両や、歩行者がブロックの上面を通行する際に滑り防止がなされ、安全性を高めることができる。
【００２４】
上記施工方法においては、前記貫通孔及び切欠き部の開口部まで前記コンクリートを打設した後、該コンクリートが固化するまでの間に、前記貫通孔及び切欠き部の開口部から露出するコンクリート表面に凹凸を形成することもできる。
【００２５】
これによれば、上記貫通孔及び切欠き部の開口部から露出するコンクリートの表面に凹凸を形成することにより、滑り止め効果が向上するので、自転車等の小型車両や、歩行者が通行する際の安全性をより高めることができる。
【発明の効果】
【００２６】
本発明によれば、前フレームを車道側に向け、後フレームを歩道側に向けて、側溝用ブロックを歩道の車道側の側辺に沿って配列し、これらの側溝用ブロックの貫通孔及び切欠き部を通してコンクリートを打設することにより施工できるので、従来の側溝用ブロックの敷設工事では必要であったコンクリート基礎及び敷モルタルの打設の工程が不要となり、施工作業を容易にし、工期を短縮して、コストを低減することができる。
【００２７】
また、連結部の貫通孔及び切欠き部の開口部には、流し込んだコンクリートが露出して、比較的粗い表面になるので、自転車等の小型車両や、歩行者がブロックの上面を通行する際に滑り防止がなされ、安全性を高めることができる。
【発明を実施するための最良の形態】
【００２８】
以下、図面を参照して、本発明の実施形態を説明する。図１〜９には本発明による側溝用ブロックの一実施形態が示されている。
【００２９】
図１〜３に示すように、この側溝用ブロック１０は、路面に降った雨水を集めて排水するために歩道の車道側の側辺に沿って配置されるものである。
【００３０】
そして、車道側に配置される前フレーム１１と、歩道側に配置される後フレーム１２と、前記前フレーム１１の上辺に一端を連結され、前記後フレーム１２の高さ方向の中間の側面に、他端を連結された連結部１３とを備えている。
【００３１】
この実施形態の場合、連結部１３には上下方向に貫通する貫通孔１４が、一つ形成されている。また、連結部１３のブロックの長さ方向の両端面には、切欠き部１５がそれぞれ形成されている。この切欠き部１５は、隣接するブロック同士で整合して一つの開口部を構成する。ただし、貫通孔１４は２つ以上形成されていてもよく、切欠き部１５はいずれか一方の端面に形成されていてもよい。
【００３２】
連結部１３の上面は、その車道側に位置する一辺が前フレーム１１の上辺と一致し、歩道側に位置する他側片が後フレーム１２の側壁中間部に連結されており、その上面は前フレーム１１側から後フレーム１２側に向けて下降する傾斜面をなしている。
【００３３】
連結部１３の上面と、後フレーム１２の側壁とが融合する角部１７は、連結部１３の斜面をなす上面の最も低い部分となり、上方に立ち上がる円弧状の湾曲部をなしている。
【００３４】
連結部１３の下方には、前フレーム１１及び後フレーム１２及び連結部１３の下面で囲まれる空間１８が形成されている。なお、前フレーム１１の空間１８側の側面には、下方に向かって肉薄となるテーパ部１１ａが形成され、同様に、後フレーム１２の空間１８側の側面には、下方に向かって肉薄となるテーパ部１２ａが形成されている。
【００３５】
この側溝用ブロック１０に形成された空間１８は、例えば、敷き詰めた砕石上に配置する際に、貫通孔１４及び切欠き部１５を通して流し込まれるコンクリートを、配置面である砕石と接合させる役割をなしている。
【００３６】
後フレーム１２のブロックの長さ方向の両端面は、上方から見て円弧状に突出した凸部１２ｂをなしている。
【００３７】
また、図２に示すように後フレーム１２の長さＡは、前フレーム１１の長さＢよりも長くされており、具体的には下記式（１）で示す範囲とされている。
【００３８】
Ａ―Ｂ＝５〜２０ｍｍ…（１）
この側溝用ブロック１０は、コンクリート材料を常法により金型に流し込んで成形する等の方法によって製造することができる。
【００３９】
次に、この側溝用ブロック１０の施工方法について説明する。      
図４は、本発明の側溝用ブロックを設置した状態を示す説明図である。
【００４０】
本発明の側溝用ブロック１０は、歩道２０の車道２１側の側片に沿って、並べられて配置される。その際、後フレーム１２は歩道２０側の側片の方向に、前フレーム１１は車道２１側の方向に配置される。
【００４１】
この側溝用ブロック１０を配置する前に、歩道２０と車道２１の境界部に所定深さの溝２２を掘削して形成する。溝２２の底部には砕石２３を敷設し、図示しない転圧機等で押圧して敷きならす。なお、溝２２の底部が岩盤からなる場合には砕石２３を敷設する必要なく、その上に直接側溝用ブロック１０を配置することができる。
【００４２】
こうして敷きならした砕石２３上に、前述した方向で側溝用ブロック１０を配置する。側溝用ブロック１０は、歩道２０の側辺にそって並ぶように一列に配置される。
【００４３】
その際、図６に示すように、道路が直線状をなす場合には、各側溝用ブロック１０を直線的に配置する。各側溝用ブロック１０は、後フレーム１２の両端の凸部１２ｂを当接させて、隙間無く配置する。この際、前フレーム１１同士の間には、わずかな隙間Ｓが形成されるが、この程度の隙間は後述するコンクリートの打設によって、埋めることができる。
【００４４】
図７は、道路が内側に湾曲している場合の配置状態を示している。この場合には、後フレーム１２の両端の凸部１２ｂを当接させつつ、前フレーム１１同士の隙間が狭くなるように、各側溝用ブロック１０に角度をつけて配置する。これによって側溝用ブロック１０を、道路の屈曲形状に沿うように配置することができる。
【００４５】
図８は、道路が外側に湾曲している場合の配置状態を示している。この場合には、後フレーム１２の両端の凸部１２ｂを当接させつつ、前フレーム１１同士の隙間を広くするように、各側溝用ブロック１０に角度をつけて配置する。これによって側溝用ブロック１０を、道路の屈曲形状に沿うように配置することができる。この場合には、前フレーム１１の両端部同士の間に大きな隙間Ｓが形成される。しかしながら、この隙間Ｓには堰板２４を配置し、後述するコンクリート打設の際に、コンクリートが流出しないようにすることができる。
【００４６】
このようにして図４に示すように、側溝用ブロック１０を、歩道２０の車道２１側の側辺に沿って、形成された溝２２内に並べて配置する。その結果、連結部１３に形成された貫通孔１４と、切欠き部１５とによって、空間１８に連通する開口部が形成される。なお、切欠き部１５は、例えば前記図６に示したように、隣接する側溝用ブロック１０同士で互いに整合して、貫通孔１４と同様な形状の開口部を形成する。
【００４７】
次に図５に示すように、予め調整された生コンクリート２５を、上記開口部、すなわち、貫通孔１４及び切欠き部１５によって形成される開口部を通して、前記空間１８内に流し込む。この生コンクリート２５は、空間１８の隅々まで充填されて、その下方に配置された砕石２３と強固に結合し、更に側溝用ブロック１０同士の隙間にも充填される。こうして、生コンクリート２５を養生させ、固化させることによって、側溝用ブロック１０の施工作業が終了する。
【００４８】
このように、本発明の施工方法によれば、従来の側溝用ブロック１０の施工方法に比べてコンクリートの基礎の製造工程、及び敷きモルタルの形成工程が省略できるので、作業を簡略化し、工期を短縮化させて、工費を削減することができる。
【００４９】
なお、図９に示すように、生コンクリート２５を打設した際に、貫通孔１４及び切欠き部１５の開口部に流し込んだコンクリートが露出する。このコンクリートは、手作業で平坦にならすことができるが、図９に示すように、例えば、ハケ、コテ、或いは型枠等でこすることによって、その表面に積極的に凹凸模様を形成することができる。
【００５０】
こうして形成された凹凸面２６は、その上を走行する自転車等の小型車両や、歩行者等が通行する際に、滑り止めとして作用する。すなわち、この側溝用ブロック１０の連結部１３の上面は、傾斜しており、路面の水が角部１７に集まり、滑りやすい状態になることがある。
【００５１】
また、路面上の砂やほこりが、この側溝用ブロック１０の連結部１３の上面に溜まって、滑りやすい状態になることもある。しかしながら、貫通孔１４及び切欠き部１５から露出する、流し込んだコンクリート表面に、例えば図９に示すような凹凸面２６を形成することにより、自転車や歩行者の滑りを防止して、安全性を確保することができる。
【００５２】
図１０には、本発明による側溝用ブロックの他の実施形態が示されている。なお、前記実施形態と実質的に同一部分には、同符号を付してその説明を省略することとする。
【００５３】
この側溝用ブロック３１は、連結部１３に２つの貫通孔１４が形成されている点が、前記実施形態と異なっている。また、この側溝用ブロック３１は、前記実施形態の側溝用ブロック１０よりも、長さ方向に長くなっている。
【００５４】
この側溝用ブロック３１は、例えば、道路に直線部分が長く続くような施工場所において、１つあたりのブロックの長さが長いために、施工作業性が良くなり、効率的に敷設することが可能となる。
【００５５】
図１１及び図１２には、本発明による側溝用ブロックの、更に他の実施形態が示されている。この側溝用ブロック３２は、後フレーム１０には、コンクリート部分と木材部分とで構成されている点が、前記実施形態と異なっている。なお、前記実施形態と実質的に同一部分には、同符号を付してその説明を省略することにする。
【００５６】
この側溝用ブロック３２の後フレーム３３は、前フレーム１１及び連結部１３とで一体で形成されたコンクリート部分３４と、木材部分３５とで、構成されている。
【００５７】
すなわち、後フレーム３３のコンクリート部分３４は、連結部１３の上面の前記角部１７から、やや立ち上がる壁部３４ａと、この壁部の背面側に形成されたほぼＬ字状に切りかかれた切欠き部３４ｂとを有している。
【００５８】
また、前記木材部分３５は、コンクリート部分３４の前記切欠き部３４に適合する形状をなしている。そして、ボルト３６を挿通する挿通穴３７が、木材部分３５に形成されている。
【００５９】
この木材部分３５は、前記欠き部３４ｂに配置され、前記ボルト３６を前記挿通穴３７に挿通させ、コンクリート部分３４に打着させることによって固定される。こうして木材部分３５とコンクリート部分３４とを一体化することにより、後フレーム３３が形成されている。
【００６０】
また、木材部分３５はその両端面に円弧状に突出する突出端部３５ａを有している。同様に、コンクリート部分３４の両端部にも、円弧状に突出する突出端部３４ａが形成されている。
【００６１】
これらの突出端部３５ａ及び３４ａによって、前述したようにブロック同士の連結角度を調整することが可能となる。
【００６２】
この側溝用ブロック３２によれば、後フレーム１２に木材部分３５を有するため、自然な風合いを与えることができ、側溝用ブロック３２を敷設した場所の景観を向上させることができる。また、連結部１３の上面の最も低くなった角部１７に隣接して、上方に立ち上がる壁部３４ａをコンクリート部分３４に設けたことにより、連結部１３の上面に溜まる雨水等が、木材部分３５に直接接触することを防止し、木材部分３５が常時濡れることを防止して、耐久性を向上させることができる。
【産業上の利用可能性】
【００６３】
本発明は、道路と歩道との境界部に敷設する側溝用ブロック及びその施工方法として利用することができる。
【図面の簡単な説明】
【００６４】
【図１】本発明の側溝用ブロックの一実施形態を示す斜視図である。
【図２】同側溝用ブロックの平面図である。
【図３】同側溝用ブロックの縦断面図ある。
【図４】同側溝用ブロックを設置した状態を示す説明図である。
【図５】側溝用ブロックの開口部からコンクリートを流し込む状態を示す説明図である。
【図６】同側溝用ブロックを道路の直線部分に配置する例を示す平面図である。
【図７】同側溝用ブロックを内側に湾曲した道路に沿って配置する例を示す平面図である。
【図８】同側溝用ブロックを外側に湾曲した道路に沿って配置する例を示す平面図である。
【図９】同側溝用ブロックの貫通穴及び切欠き部から露出する打設したコンクリート表面に凹凸模様を形成した例を示す斜視図である。
【図１０】本発明の側溝用ブロックの他の実施形態を示す斜視図である。
【図１１】本発明の側溝用ブロックの、更に他の実施形態を示す分解斜視図である。
【図１２】同側溝用ブロックの縦断面図ある。
【図１３】従来の側溝用ブロックの施工方法を説明するための説明図である。
【符号の説明】
【００６５】
１０、３２  側溝用ブロック
１１  前フレーム
１２  後フレーム
１２ｂ  凸部
１３  連結部
１４  貫通孔
１５  切欠き部
１８  空間
２６  凹凸面
３５  木材部分
【図１】
2005097909.tif 000003
【図２】
2005097909.tif 000004
【図３】
2005097909.tif 000005
【図４】
2005097909.tif 000006
【図５】
2005097909.tif 000007
【図６】
2005097909.tif 000008
【図７】
2005097909.tif 000009
【図８】
2005097909.tif 000010
【図９】
2005097909.tif 000011
【図１０】
2005097909.tif 000012
【図１１】
2005097909.tif 000013
【図１２】
2005097909.tif 000014
【図１３】
2005097909.tif 000015